(57)【要約】【課題】光透過率を変えることのできるフィルタを用いて照明光の光色を変化させる場合であっても、ユーザが違和感を感じることのない照明装置及び照明装置の制御方法を提供する。【解決手段】固体発光素子によって構成された光源１１と、光源１１の光出射側に配置され、光透過率を変えることができるフィルタ１２と、光源１１の光出力を制御する制御部２０とを備え、制御部２０は、フィルタ１２の光透過率が変化してフィルタ１２を透過する光源１１の光の光色が変化した場合に、フィルタ１２の光透過率の変化と同期し且つ負の相関関係を有するように光源１１の光出力を制御する。【選択図】図７
2015018682.tif 000002
【特許請求の範囲】
【請求項１】
固体発光素子によって構成された光源と、
前記光源の光出射側に配置されたフィルタと、
前記光源の光出力を制御する制御部とを備え、
前記制御部は、前記フィルタの光透過率が変化して前記フィルタを透過する前記光源の光の光色が変化した場合に、前記フィルタの光透過率の変化と同期し且つ負の相関関係を有するように前記光源の光出力を制御する
照明装置。
【請求項２】
前記フィルタは、前記光源の光の一部の波長を選択的に吸収するエレクトロクロミックフィルタであり、
前記エレクトロクロミックフィルタは、印加される電圧に応じて光透過率が変化する
請求項１に記載の照明装置。
【請求項３】
前記制御部は、前記フィルタの光透過率が小さくなる場合、前記光源の光出力が大きくなるように前記光源の光出力を制御する
請求項１又は２に記載の照明装置。
【請求項４】
前記制御部は、前記フィルタの光透過率が単調減少で小さくなる場合、前記光源の光出力が単調増加で大きくなるように前記光源の光出力を制御する
請求項３に記載の照明装置。
【請求項５】
前記制御部は、前記フィルタの光透過率の変化の割合が−ａで一定の場合、前記光源の光出力の変化の割合が＋ａで一定となるように前記光源の光出力を制御する
請求項４に記載の照明装置。
【請求項６】
前記制御部は、前記フィルタの光透過率が大きくなる場合、前記光源の光出力が小さくなるように前記光源の光出力を制御する
請求項１又は２に記載の照明装置。
【請求項７】
前記制御部は、前記フィルタの光透過率が単調増加で大きくなる場合、前記光源の光出力が単調減少で小さくなるように前記光源の光出力を制御する
請求項６に記載の照明装置。
【請求項８】
前記制御部は、前記フィルタの光透過率の変化の割合がａで一定の場合、前記光源の光出力の変化の割合が−ａで一定となるように前記光源の光出力を制御する
請求項７に記載の照明装置。
【請求項９】
固体発光素子によって構成された光源と、前記光源の光出射側に配置され、光透過率を変えることができるフィルタとを備える照明装置の制御方法であって、
前記フィルタの光透過率が変化して前記フィルタを透過する前記光源の光の光色が変化した場合に、前記フィルタの光透過率の変化と同期し且つ負の相関関係を有するように前記光源の光出力を制御するステップを含む
照明装置の制御方法。
【発明の詳細な説明】
【技術分野】
【０００１】
本発明は、照明装置及び照明装置の制御方法に関する。
【背景技術】
【０００２】
発光ダイオード（ＬＥＤ：Ｌｉｇｈｔ  Ｅｍｉｔｔｉｎｇ  Ｄｉｏｄｅ）等の固体発光素子は、高効率で省スペースな光源として、照明用又はディスプレイ用等の各種機器に広く利用されている。
【０００３】
近年、照明用光源として用いられる白色ＬＥＤ光源は、青色ＬＥＤが発する青色光とその青色光で励起される黄色蛍光体の黄色光とを混色させることにより擬似白色光を得る、いわゆるＢ−Ｙタイプが主流となっている。
【０００４】
Ｂ−Ｙタイプの白色ＬＥＤ光源は、発光効率の向上が目覚ましく、蛍光灯の発光効率を超えるものも現れている。このため、従来の白熱灯や蛍光灯からＢ−Ｙタイプの白色ＬＥＤ光源への置き換えが進んでおり、白色ＬＥＤ光源を用いた照明装置が種々提案されている。
【０００５】
ところで、以前より、シーンによって照明光の光色を変化させたいというニーズがある。例えば、本や新聞等の文字を読む際の照明環境としては、文字のコントラストがはっきりとする高色温度の光色が好まれる。また、就寝前等では、メラトニンの分泌を阻害しない低色温度の光色が好まれる。また、学習シーンの照明環境においても、短時間に集中して学習する場合と長時間にわたり集中力を持続させて学習する場合とでは、適する色温度が異なるという研究報告もある（非特許文献１）。
【０００６】
このようなニーズに対応するために、照明光の色温度を変えることができる調色タイプの照明装置の開発が進められている。
【０００７】
調色タイプの照明装置は、例えば、高色温度の光を発する高色温度用ＬＥＤ光源と低色温度の光を発する高色温度用ＬＥＤ光源とを備えており、２つのＬＥＤ光源をそれぞれ独立に調光制御することによって所望の色温度の光色が得えられる（例えば特許文献１）。
【先行技術文献】
【非特許文献】
【０００８】
【非特許文献１】田中他、「視聴タスク中の心拍変動における光色の影響」、日本生理人類学会誌Ｖｏｌ．１７，（２０１２）ｐ１１４−ｐ１１５
【特許文献】
【０００９】
【特許文献１】特開２０１３−９８０３８号公報
【発明の概要】
【発明が解決しようとする課題】
【００１０】
しかしながら、この場合、低色温度用ＬＥＤ光源と高色温度用ＬＥＤ光源とをそれぞれ必要な個数設置する必要があるので、ＬＥＤ光源を実装する基板や電源回路が大きくなってしまい照明装置が大型化する。
【００１１】
このため、タスク照明等のコンパクト性が要求される照明装置では、ＬＥＤ光源の光出射側に、光色を変化させることができるエレクトロクロミックフィルタを配置する技術が考えられる。
【００１２】
しかしながら、照明光の光色を変化させると、エレクトロクロミックフィルタの光透過率が変化してしまい、照明光の照度も変化してしまう。つまり、照明光の光色を変化させる場合には、印加する電圧を変えることによってエレクトロクロミックフィルタの着色状態を変えることになるが、この際、エレクトロクロミックフィルタの光透過率が変化する。この結果、エレクトロクロミックフィルタを通過するＬＥＤ光源の光量が変化して、照明光の照度が変化する。
【００１３】
この場合、ユーザは、色の変化以上に照度の変化を感じてしまう傾向にあるので、ユーザに違和感を与えるという課題がある。特に、タスク照明が用いられる学習や仕事等のタスク環境では、ユーザが違和感を感じると集中力が低下して作業効率が低下する。
【００１４】
本発明は、このような課題を解決するためになされたものであり、光透過率を変えることのできるフィルタを用いて照明光の光色を変化させる場合であっても、ユーザが違和感を感じることのない照明装置及び照明装置の制御方法を提供することを目的とする。
【課題を解決するための手段】
【００１５】
上記目的を達成するために、本発明に係る照明装置の一態様は、固体発光素子によって構成された光源と、前記光源の光出射側に配置されたフィルタと、前記光源の光出力を制御する制御部とを備え、前記制御部は、前記フィルタの光透過率が変化して前記フィルタを透過する前記光源の光の光色が変化した場合に、前記フィルタの光透過率の変化と同期し且つ負の相関関係を有するように前記光源の光出力を制御することを特徴とする。
【００１６】
また、本発明に係る照明装置の一態様において、前記フィルタは、前記光源の光の一部の波長を選択的に吸収するエレクトロクロミックフィルタであり、前記エレクトロクロミックフィルタは、印加される電圧に応じて光透過率が変化する、としてもよい。
【００１７】
また、本発明に係る照明装置の一態様において、前記制御部は、前記フィルタの光透過率が小さくなる場合、前記光源の光出力が大きくなるように前記光源の光出力を制御する、としてもよい。
【００１８】
さらに、本発明に係る照明装置の一態様において、前記制御部は、前記フィルタの光透過率が単調減少で小さくなる場合、前記光源の光出力が単調増加で大きくなるように前記光源の光出力を制御する、としてもよい。
【００１９】
この場合、前記制御部は、前記フィルタの光透過率の変化の割合が−ａで一定の場合、前記光源の光出力の変化の割合が＋ａで一定となるように前記光源の光出力を制御する、としてもよい。
【００２０】
また、本発明に係る照明装置の一態様において、前記制御部は、前記フィルタの光透過率が大きくなる場合、前記光源の光出力が小さくなるように前記光源の光出力を制御する、としてもよい。
【００２１】
さらに、本発明に係る照明装置の一態様において、前記制御部は、前記フィルタの光透過率が単調増加で大きくなる場合、前記光源の光出力が単調減少で小さくなるように前記光源の光出力を制御する、としてもよい。
【００２２】
この場合、前記制御部は、前記フィルタの光透過率の変化の割合がａで一定の場合、前記光源の光出力の変化の割合が−ａで一定となるように前記光源の光出力を制御する、としてもよい。
【００２３】
また、本発明に係る照明装置の制御方法の一態様は、固体発光素子によって構成された光源と、前記光源の光出射側に配置され、光透過率を変えることができるフィルタとを備える照明装置の制御方法であって、前記フィルタの光透過率が変化して前記フィルタを透過する前記光源の光の光色が変化した場合に、前記フィルタの光透過率の変化と同期し且つ負の相関関係を有するように前記光源の光出力を制御するステップを含むことを特徴とする。
【発明の効果】
【００２４】
本発明によれば、光透過率を変えることのできるフィルタを用いて照明光の光色を変化させる場合であっても、照明光の照度変化を抑制できる。したがって、ユーザが違和感を感じることを抑制できる。
【図面の簡単な説明】
【００２５】
【図１】図１は、本発明の実施の形態に係る照明装置の概略図である。
【図２】図２は、Ｂ−Ｙタイプの白色ＬＥＤ光源の発光スペクトルの一例を示す分光分布図である。
【図３】図３は、ＣＯＢ構造のＬＥＤ光源の一例を示す断面図である。
【図４】図４は、エレクトロクロミックフィルタの構造の一例を示す斜視図である。
【図５】図５は、プルシアンブルー型錯体を用いたエレクトロクロミックフィルタにおける波長と光透過率との関係を示す図である。
【図６】図６は、比較例に係る照明装置における第１の制御動作を説明するための図である。
【図７】図７は、本発明の実施の形態に係る照明装置における第１の制御動作を説明するための図である。
【図８】図８は、本発明の実施の形態に係る照明装置における第１の制御動作の他の例を説明するための図である。
【図９】図９は、比較例に係る照明装置における第２の制御動作を説明するための図である。
【図１０】図１０は、本発明の実施の形態に係る照明装置における第２の制御動作を説明するための図である。
【図１１】図１１は、本発明の実施の形態に係る照明装置における第２の制御動作の他の例を説明するための図である。
【図１２】図１２は、本発明の実施例１に係る照明装置の構成を示す斜視図である。
【図１３】図１３は、本発明の実施例１に係る照明装置における灯具の分解斜視図である。
【図１４】図１４は、本発明の実施例２に係る照明装置の構成を示す分解斜視図である。
【発明を実施するための形態】
【００２６】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ及びステップの順序などは、一例であって本発明を限定する主旨ではない。よって、以下の実施の形態における構成要素のうち、本発明の最上位概念を示す独立請求項に記載されていない構成要素については、任意の構成要素として説明される。
【００２７】
なお、各図は、模式図であり、必ずしも厳密に図示されたものではない。また、各図において、実質的に同一の構成に対しては同一の符号を付しており、重複する説明は省略又は簡略化する。
【００２８】
（実施の形態）
まず、本発明の実施の形態に係る照明装置１の概略構成について、図１を用いて説明する。図１は、本発明の実施の形態に係る照明装置の概略図である。
【００２９】
図１に示すように、本実施の形態に係る照明装置１は、色温度の異なる複数種類の光を出射可能な光源部１０と、光源部１０を制御する制御部２０とを備える。
【００３０】
光源部１０は、固体発光素子によって構成された光源１１と、光源１１の光出射側に配置され、光透過率を変えることができるフィルタ１２とを含む。
【００３１】
制御部２０は、光源１１を発光させるための電力を光源１１に供給する第１電源回路２１と、フィルタ１２を制御するための電力をフィルタ１２に供給する第２電源回路２２と、第１電源回路２１及び第２電源回路２２を制御するための制御回路２３とを含む。
【００３２】
制御部２０は、フィルタ１２の光透過率が変化してフィルタ１２を透過する光源１１の光の光色が変化した場合に、フィルタ１２の光透過率の変化と同期し且つ負の相関関係を有するように光源１１の光出力を制御する機能を有する。具体的には、制御部２０は、フィルタ１２を透過する光源１１の光（照明光）の光色の変化にかかわらず、当該光（照明光）の照度が略一定となるように光源１１の光出力を制御している。
【００３３】
ここで、光源１１の光の照度が略一定とは、ユーザに照度変化を感じさせないレベルのことであり、ユーザが照度変化を感じない程度の範囲内であれば、フィルタ１２の光透過率が変化する前後においてフィルタ１２を透過する光源１１の光の照度が多少異なっていてもよい。
【００３４】
なお、照明装置１には、目的に応じて、反射板、レンズ又は導光板等の配光制御部材、及び、化粧枠等が設けられていてもよい。
【００３５】
以下、照明装置１の各構成部材について詳細に説明する。
【００３６】
［光源］
光源１１は、ＬＥＤ素子、有機ＥＬ素子（ＯＬＥＤ）又は無機ＥＬ素子等の固体発光素子によって構成されており、図１に示すように、例えば基板１３に配置される。本実施の形態において、光源１１は、１個又は複数個のＬＥＤ素子によって構成されたＬＥＤ光源である。光源１１が複数のＬＥＤ素子によって構成される場合、各ＬＥＤ素子は、例えば基板１３上に二次元的に配置される。
【００３７】
光源１１は、光出力を変化させて調光を行うことができるように構成されている。例えば、光源１１が複数のＬＥＤ素子によって構成されている場合、点灯させるＬＥＤ素子の個数を変えることで光源１１の光出力を変えることができる。また、１個又は複数のＬＥＤ素子の各々について投入電流量を変えることでも光源１１の光出力を変えることができる。
【００３８】
但し、ＬＥＤ素子の投入電流量を変える方法は、投入電流量が大きくなりすぎると、ＬＥＤ素子自身の発熱によって発光効率が低下し、所望の光出力が得られなくなるおそれがある。したがって、複数のＬＥＤの点灯個数を変える方法の方が所望の調光を行うことができる。
【００３９】
光源１１を構成するＬＥＤ素子は、例えばＬＥＤチップと蛍光体等の波長変換材とによって構成することができる。
【００４０】
ＬＥＤチップは、所定の直流電力により発光する半導体発光素子の一例であって、単色の可視光を発するベアチップである。ＬＥＤチップは、例えば、通電されれば青色光を発する青色ＬＥＤチップが用いられる。青色ＬＥＤチップは、３８０ｎｍ〜５００ｎｍの波長域に主たる発光ピークを有し、窒化ガリウム系の半導体材料によって構成することができる。
【００４１】
蛍光体は、ＬＥＤチップが発する光によって励起されて所望の色（波長）の光を放出する。青色ＬＥＤチップを用いる場合、５４５ｎｍ〜５９５ｎｍの波長域に主たる発光ピークを有する黄色蛍光体を用いることができる。このような黄色蛍光体の一例として、ＹＡＧ（イットリウム・アルミニウム・ガーネット）系蛍光体があげられる。蛍光体は、シリコーン樹脂等の透光性絶縁材料に含有されて蛍光体含有樹脂として構成される。
【００４２】
このように、本実施の形態における光源１１は、青色ＬＥＤチップと黄色蛍光体とによって構成されたＢ−ＹタイプのＬＥＤ素子からなる白色ＬＥＤ光源である。この場合、黄色蛍光体は青色ＬＥＤチップが発した青色光の一部を吸収して励起されて黄色光を放出するので、この黄色光と黄色蛍光体に吸収されなかった青色光とが混ざって白色光が得られる。Ｂ−Ｙタイプの白色ＬＥＤ素子は、例えば、図２に示すような発光スペクトルを有する。図２は、代表的なＢ−Ｙタイプの白色ＬＥＤ素子の発光スペクトルを示している。なお、本実施の形態では、光源１１として、互いに異なる色温度の光を発する複数種のＬＥＤ素子は用いられておらず、１種類の色温度の光を発するＬＥＤ素子のみが１個又は複数個用いられている。
【００４３】
光源１１を構成する各ＬＥＤ素子は、例えば、図１に示すように、ＳＭＤ（Ｓｕｒｆａｃｅ  Ｍｏｕｎｔ  Ｄｅｖｉｃｅ）構造とすることができる。ＳＭＤ構造のＬＥＤ素子は、パッケージ型の素子であり、凹部を有する白色樹脂等の容器１１ａ（パッケージ）と、容器１１ａの凹部内に実装されたＬＥＤチップ１１ｂと、容器１１ａの凹部内に封入された蛍光体含有樹脂１１ｃとによって構成される。
【００４４】
なお、ＬＥＤ素子の構造としては、図３に示すように、ＣＯＢ（Ｃｈｉｐ  Ｏｎ  Ｂｏａｒｄ）構造とすることもできる。ＣＯＢ構造のＬＥＤ素子は、基板１３に直接実装された複数のＬＥＤチップ１１ｂを蛍光体含有樹脂１１ｃによって個々に又は複数個一括して封止した構成である。
【００４５】
また、本実施の形態では、青色ＬＥＤチップと黄色蛍光体との組み合わせとしたが、これに限らない。例えば、演色性を高めるために、黄色蛍光体に加えて、さらに赤色蛍光体や緑色蛍光体を混ぜても構わない。また、黄色蛍光体を用いずに、赤色蛍光体及び緑色蛍光体を含有する蛍光体含有樹脂を用いて、これと青色ＬＥＤチップとを組み合わせることによりに白色光を放出するように構成することもできる。
【００４６】
［フィルタ］
フィルタ１２は、光源１１の出射面側に設置される光透過性部品である。本実施の形態におけるフィルタ１２は、可視光の一部の波長（特定波長）を選択的に吸収することにより、透過する光の光色を変化させる調色フィルタであり、電気的に光透過率を変化させることが可能となっている。本実施の形態において、フィルタ１２は、光源１１から出射する光の一部の波長を選択的に吸収する。
【００４７】
このようなフィルタ１２として、例えばエレクトロクロミックフィルタが用いられる。エレクトロクロミックフィルタは、印加される電圧の値に応じて色（着色状態）が変わるエレクトロクロミック材料によって構成されており、印加される電圧の値に応じて光透過率も変化する。つまり、印加される電圧の値によってエレクトロクロミックフィルタに流れる電流が変わって光透過率が変わり、これにより、吸収する特定波長の吸収量を変えることができ、エレクトロクロミックフィルタを透過する光の色を変化させることができる。
【００４８】
このように、エレクトロクロミックフィルタは、電圧印加と電圧無印加とを選択的に切り替えることによってエレクトロクロミックフィルタの色を択一的に切り替えることもできるし、印加する電圧の値を変えることでエレクトロクロミックフィルタの色を徐々に変化させることもできる。
【００４９】
つまり、エレクトロクロミックフィルタへの電圧印加と電圧無印加とを切り替えることによって、エレクトロクロミックフィルタを透過する光源１１の光の色温度を、異なる色温度である第１の色温度と第２の色温度とに択一的に切り替えることができる。また、印加電圧の値を適宜変えることによって、エレクトロクロミックフィルタを透過する光源１１の光の色温度を第１の色温度と第２の色温度との間の無数の色温度に変化させることもできる。
【００５０】
エレクトロクロミックフィルタは、例えば、図４に示すように構成されており、２つのＩＴＯ電極１２ａ及び１２ｆの間に、第１のエレクトロクロミック層１２ｂと、封止用樹脂１２ｃで封止されたゲル電解質１２ｄと、第２のエレクトロクロミック層１２ｅとが挟持された構造である。ＩＴＯ電極１２ａ及び１２ｂ間に電圧を印加することにより、第１のエレクトロクロミック層１２ｂ及び第２のエレクトロクロミック層１２ｅにおけるエレクトロクロミック材料の色を変化させることができる。これにより、エレクトロクロミックフィルタを透過する光の光色を変えることができる。
【００５１】
例えば、エレクトロクロミック材料としてプルシアンブルー型錯体を用いると、図５に示すように、電圧の印加状態に応じて、エレクトロクロミックフィルタ（エレクトロクロミック材料）の色を青色（電圧無印加）又は透明色（電圧印加）に変化させることができる。また、さらに電圧を高くすることで、エレクトロクロミックフィルタの色を橙色に変化させることもできる。
【００５２】
また、図５からも分かるように、エレクトロクロミックフィルタが青色や橙色等に着色された状態では光源１１の光の一部が吸収されてしまうので、透明状態の場合と比べて光透過率が低下する。
【００５３】
なお、本実施の形態において、フィルタ１２としてエレクトロクロミックフィルタを用いたが、透過する光の光色を変化させるときに光透過率が変わるものであれば、これに限定されるものではない。例えば、フィルタ１２として、電気信号に応じて光透過率を変えることができる液晶フィルタを用いてもよい。
【００５４】
［基板］
基板１３は、光源１１を配置するための基台である。基板１３は光源１１とともに光源ユニット（光源モジュール）として構成されていてもよい。
【００５５】
基板１３としては、樹脂をベースとする樹脂基板、セラミックからなるセラミック基板、金属をベースとするメタルベース基板等を用いることができる。また、基板１３の形状は、照明装置１における基板１３の配置スペースに応じて適宜選択することができる。例えば、円板状や矩形状の基板１３を用いることができる。
【００５６】
また、基板１３は、所定形状の金属配線が形成された配線基板としてもよい。この場合、基板１３には、例えば、光源１１（ＬＥＤ素子）に供給する直流電力を受電するための一対の外部接続端子と、外部接続端子と光源１１とを電気的に接続するための金属配線（金属パターン）とが設けられる。
【００５７】
一対の外部接続端子は、電線等によって電源回路と電気的に接続される。また、金属配線は、複数の光源１１（ＬＥＤ素子）の各々について、直列接続としたり並列接続としたり直列接続と並列接続との組み合わせ接続としたりするために、所定形状で形成される。
【００５８】
［第１電源回路］
第１電源回路２１は、光源制御用電源回路であり、光源１１を発光させるための電力（電気信号）を生成する。第１電源回路２１は、例えば、商用電源等の外部電源からの交流電圧を、整流、平滑及び降圧等して所定レベルの直流電圧に変換し、光源１１に供給する。光源１１に直流電力が供給されると、光源１１が発光する。
【００５９】
第１電源回路２１から光源１１に供給する電力を制御することによって、光源１１の光出力を制御して光源１１の調光を行うことができる。例えば、光源１１が１６個のＬＥＤ素子によって構成されている場合、ＬＥＤ素子の点灯個数を１２個から１６個に増やすことによって光源１１の光出力を７５％から１００％に上げることができる。逆に、ＬＥＤ素子の点灯個数を１６個から１２個に減らすことで、光源１１の光出力を１００％から７５％に下げることができる。このように、ＬＥＤ素子の点灯個数を調整することで、光出力を変えることができ、光源１１の調光を行うことができる。
【００６０】
なお、上述のとおり、点灯個数を変えるのではなく全ＬＥＤ素子への投入電流量を一律に変えることでも光源１１の光出力を変えることができる。
【００６１】
［第２電源回路］
第２電源回路２２は、フィルタ制御用電源回路であり、フィルタ１２を制御するための電力（電気信号）を生成する。第２電源回路２２は、例えば、商用電源等の外部電源からの交流電圧を、整流、平滑及び降圧等して所定レベルの直流電圧に変換し、フィルタ１２に供給する。フィルタ１２に直流電力が供給されると、フィルタ１２を透過する光源１１の色が変化する。
【００６２】
第２電源回路２２からフィルタ１２に供給する電力を制御することによって、フィルタ１２の光透過率を調整することができる。
【００６３】
［制御回路］
制御回路２３は、第１電源回路２１及び第２電源回路２２を制御するための制御信号（電気信号）を第１電源回路２１及び第２電源回路２２に供給する。
【００６４】
例えば、制御回路２３は、光源１１の光出力を制御するための制御信号（つまり光源１１を調光するための調光信号）を第１電源回路２１に供給する。本実施の形態において、制御回路２３は、フィルタ１２の光透過率が変化してフィルタ１２を透過する光源１１の光の光色が変化した場合に、フィルタ１２を透過する光源１１の光の照度変化を抑制するために、フィルタ１２の光透過率の変化と同期し且つ負の相関関係を有する制御信号を生成して、第１電源回路２１に供給する。より具体的には、制御回路２３は、フィルタ１２の光透過率が変化してフィルタ１２を透過する光源１１の光の光色が変化した場合であってもフィルタ１２を透過する光源１１の光の照度を変化させないような制御信号を生成する。
【００６５】
なお、制御回路２３は、光源１１を点灯又は消灯するための制御信号（点灯信号）も第１電源回路２１に供給する。
【００６６】
また、制御回路２３は、フィルタ１２を透過する光源１１の光色を変化させるための制御信号（つまり、照明装置１の照明光の光色を変化させるための制御信号）を第２電源回路２２に供給する。
【００６７】
なお、制御回路２３は、その他の制御を行うように構成されていてもよい。
【００６８】
［動作及び作用効果］
次に、図６及び図７を用いて、本実施の形態に係る照明装置１における制御部２０の第１の制御動作について、比較例の照明装置と対比しながら説明する。
【００６９】
なお、比較例の照明装置は、制御部２０以外は本実施の形態に係る照明装置１と同じ構成であるので、同じ機能を有する構成には同じ符号を用いて説明する。また、以下に説明する制御部２０の制御動作は、制御回路２３からの制御信号に基づいて、第１電源回路２１及び第２電源回路２２の出力を制御することによって実行される。また、照明装置としては、デスクスタンド型を例にして説明する。
【００７０】
まず、図６を用いて比較例の照明装置の第１の制御動作を説明する。図６は、比較例に係る照明装置における第１の制御動作を説明するための図である。
【００７１】
デスクスタンド型の照明装置における照明光は、上述のとおり、文字を読む際の照明環境としては文字のコントラストがはっきりとする高色温度の光色が好まれ、また、就寝前等では、メラトニンの分泌を阻害しない落ち着きのある低色温度の光色が好まれる。
【００７２】
そこで、デスクスタンド型の照明装置として、光透過率を変えることのできるフィルタ１２によって照明光の光色を変化させることのできる照明装置を用いた場合において、例えば、図６（ａ）に示すように、文字の読みやすさを高めるために、フィルタ１２を透過する光源１１の光（照明光）の色温度を、５０００Ｋ（低色温度）から６０００Ｋ（高色温度）に変化させるとする。
【００７３】
このとき、フィルタ１２がプルシアンブルー型錯体を用いたエレクトロクロミックフィルタの場合、フィルタ１２を透過する光源１１の光の色温度を５０００Ｋから６０００Ｋに変化させると、フィルタ１２の着色状態が透明色から青色に変化する。つまり、光源１１から出射する光を、透明色から青色に変化させたフィルタ１２（エレクトロクロミックフィルタ）を透過させることになる。これにより、図６（ｂ）に示すように、フィルタ１２の光透過率は色温度の変化に連動して例えば８０％から６０％に低下する。
【００７４】
この際、比較例の照明装置では、図６（ｂ）に示すように、フィルタ１２の光透過率が変化する前と後とで光源１１の光出力（光源出力）が変わらずに常に一定となっているので、図６（ｂ）及び図６（ｃ）に示すように、フィルタ１２の光透過率が変化した後では、フィルタ１２の光透過率の低下に伴ってフィルタ１２を透過する光源１１の光の照度が低下して、照明光の照度が低下する。
【００７５】
この場合、ユーザは色の変化以上に照度の変化を感じる傾向にあるので、ユーザは違和感を感じてしまう。つまり、光源１１の光出力が一定のままであると、色温度を高めたことによる文字の読みやすさの効果よりも、フィルタ１２による光量損失に伴う照度低下が引き起こす文字の読みにくさの印象が強くなる。比較例の照明装置では、このような課題がある。
【００７６】
そこで、本発明者らは、鋭意研究を重ねた結果、フィルタ１２の着色状態を変化させる場合に、フィルタ１２の光透過率の変化に光源の光出力を同期させるように調光制御を行うことによって、フィルタ１２を透過して得られる光の光量の変化を抑制し、これにより、上記課題を解決できることを見出した。
【００７７】
つまり、照明装置の制御方法として、フィルタ１２の光透過率が変化してフィルタ１２を透過する光源１１の光の光色が変化した場合に、フィルタ１２の光透過率の変化と同期し、且つ、フィルタ１２の光透過率の変化と負の相関関係を有するように、光源１１の光出力を制御するステップを含むようにすることで、上記課題を解決できることを見出した。
【００７８】
以下、本実施の形態に係る照明装置１の制御動作（調光制御）について、図７を用いて詳細に説明する。図７は、本発明の実施の形態に係る照明装置における第１の制御動作を説明するための図である。
【００７９】
まず、フィルタ１２を透過する光源１１の光の色温度が５０００Ｋのときに光源１１の光出力が７５％の状態となるように予め設定及び調光しておく。例えば、フィルタ１２がプルシアンブルー型錯体を用いたエレクトロクロミックフィルタの場合、フィルタ１２の青色着色時（光透過率６０％）のときの光源１１の光出力を１００％とし、フィルタ１２が透明色（光透過率８０％）のときの光源１１の光出力を、フィルタ１２の青色着色時ときの光源１１の光出力に対して７５％の状態となるように予め設定及び調光しておく。
【００８０】
そして、図７（ａ）に示すように、フィルタ１２を透過する光源１１の光の色温度を５０００Ｋ（低色温度）から６０００Ｋ（高色温度）に変化させた場合に、フィルタ１２を透過する光源１１の光の色温度の変化に連動して、フィルタ１２の光透過率が低下したとする。
【００８１】
例えば、フィルタ１２がプルシアンブルー型錯体を用いたエレクトロクロミックフィルタの場合、フィルタ１２を透過する光源１１の光の色温度を５０００Ｋから６０００Ｋに変化させると、フィルタ１２の着色状態が透明色から青色に変化し、図７（ｂ）に示すように、フィルタ１２の光透過率は色温度の変化に連動して例えば８０％から６０％に低下する。
【００８２】
ここで、本実施の形態に係る照明装置１では、比較例の照明装置と異なり、図７（ｂ）に示すように、フィルタ１２の光透過率の変化に連動させながら光源１１の光出力を変化させている。つまり、フィルタ１２の色の変化（光透過率の変化）と光源１１の光出力の変化とを同期させながら、かつ、フィルタ１２の光透過率の変化と光源１１の光出力の変化とが負の相関関係を有するように、光源１１の光出力の調光制御を行っている。
【００８３】
本実施の形態では、図７（ｂ）に示すように、フィルタ１２の光透過率が時刻ｔ１までは線形的（リニア）に単調減少し、時刻ｔ１以降は一定となっているので、制御部２０は、光源１１の光出力が時刻ｔ１まで線形的に単調増加して時刻ｔ１以降は一定となるような制御信号（調光信号）を第１電源回路２１に供給している。つまり、制御部２０は、フィルタ１２の光透過率と光源１１の光出力とが負の相関関係を有するように制御しており、フィルタ１２の光透過率が小さくなる場合に、光源１１の光出力が大きくなるように制御している。本実施の形態では、時刻ｔ１までにおけるフィルタ１２の光透過率の変化の割合（傾き）が−ａで一定であるので、光源１１の光出力の変化の割合が＋ａで一定となるように制御している。
【００８４】
より具体的には、フィルタ１２を透過する光源１１の光の色温度を５０００Ｋから６０００Ｋへと変化させる際に、光源１１の光出力がフィルタ１２の光透過率の変化と同期するように、光源１１の光出力を７５％から１００％になるように調光している。
【００８５】
このような調光制御を行うことによって、図７（ｃ）に示すように、フィルタ１２の光透過率が変化する前と後とでフィルタ１２を透過する光源１１の光の照度を略一定とすることができる。つまり、フィルタ１２を透過して得られる光源１１の光量を、フィルタ１２の光透過率が変化する前と後とで変化させることなく略一定に保つことができる。この結果、ユーザが利用する照明光の照度を略一定にすることができる。
【００８６】
これにより、ユーザに対して色の変化だけを感じさせることができるので、照度変化に伴ってユーザが違和感を感じることを抑制できる。したがって、デスクスタンド型照明装置のユーザは、フィルタ１２による光量損失がもたらす照度低下の影響を感じることなく、色温度変化による読みやすさ向上の効果のみを実感することができる。
【００８７】
なお、図７では、フィルタ１２を透過する光源１１の色温度が徐々に変化するように制御したが、上記の本実施の形態における照明装置の制御動作は、例えば、図８に示すように、フィルタ１２を透過する光源１１の色温度が瞬時に変化する場合にも適用できる。
【００８８】
例えば、図８（ａ）に示すように、フィルタ１２を透過する光源１１の色温度が５０００Ｋから６０００Ｋに瞬時に上がっている場合、図８（ｂ）に示すように、フィルタ１２の光透過率は８０％から６０％に瞬時に低下する。この場合、図８（ｂ）に示すように、フィルタ１２の光透過率の瞬時変化に合わせて光源１１の光出力を７５％から１００％に瞬時に大きくしている。これにより、図８（ｃ）に示すように、フィルタ１２の光透過率が変化する前と後とでフィルタ１２を透過する光源１１の光の照度を略一定にすることができる。なお、瞬時とは、制御するタイミングとしては、時間差がないことを意味し、図８では５０００Kの終了時刻と６０００Kの開始時刻とが同じであることを意味する。
【００８９】
但し、フィルタ１２の光透過率の変化（色の変化）及び光源１１の光出力を変化させる変化時間（変化速度）は、図８のように瞬時ではなく、図７のように、ある程度の時間をかける方がよく、例えば１０秒〜１０分が望ましく、さらに望ましくは１分〜３分である。変化時間（変化速度）が１０秒よりも短い（速い）と、ユーザの色順応が追いつかず、ユーザは照明光の色変化を感じてしまって違和感を感じるおそれがある。一方、変化時間（変化速度）が１０分よりも長い（遅い）と、第１電源回路２１から光源１１への制御信号（調光信号）と第２電源回路２２からフィルタ１２への制御信号とをより細かく同期させなければならず、制御回路２３の回路構成が複雑になる。
【００９０】
なお、本実施の形態において、フィルタ１２の色の変化として、透明色から青色に色変化する例を説明したが、例えば、就寝前のように、低色温度の光が好まれる状況においては、透明色から橙色に色変化させてもよく、この場合でも同様の調光制御を行うことができる。また、就寝前には低色温度で、かつ低照度の照明環境を整えようとする場合には、上記調光制御を行わないという選択をすることも可能である。
【００９１】
次に、図９及び図１０を用いて、本実施の形態に係る照明装置１における制御部２０の第２の制御動作について、比較例の照明装置と対比しながら説明する。上述の第１の制御動作は、照明光の色温度が低色温度から高色温度に変化する場合について説明したが、第２の制御動作では、照明光の色温度が高色温度から低色温度に変化する場合である。
【００９２】
なお、比較例の照明装置の構成は上記と同様である。また、以下に説明する制御部２０の制御動作も、制御回路２３からの制御信号に基づいて、第１電源回路２１及び第２電源回路２２の出力を制御することによって実行される。
【００９３】
まず、図９を用いて比較例の照明装置の第２の制御動作を説明する。図９は、比較例に係る照明装置における第２の制御動作を説明するための図である。
【００９４】
上記同様にデスクスタンド型の照明装置として、光透過率を変えることのできるフィルタ１２によって照明光の光色を変化させることのできる照明装置を用いた場合において、例えば、図９（ａ）に示すように、フィルタ１２を透過する光源１１の光（照明光）の色温度を、６０００Ｋ（高色温度）から５０００Ｋ（低色温度）に変化させるとする。
【００９５】
このとき、フィルタ１２がプルシアンブルー型錯体を用いたエレクトロクロミックフィルタの場合、フィルタ１２を透過する光源１１の光の色温度を６０００Ｋから５０００Ｋに変化させると、フィルタ１２の着色状態が青色から透明色に変化する。つまり、光源１１から出射する光を、青色から透明色に変化させたフィルタ１２（エレクトロクロミックフィルタ）を透過させることになる。これにより、図９（ｂ）に示すように、フィルタ１２の光透過率は色温度の変化に連動して例えば６０％から８０％に高くなる。
【００９６】
この際、比較例の照明装置では、図９（ｂ）に示すように、フィルタ１２の光透過率が変化する前と後とで光源１１の光出力（光源出力）が変わらずに常に一定となっているので、図９（ｂ）及び図９（ｃ）に示すように、フィルタ１２の光透過率が変化した後では、フィルタ１２の光透過率の上昇に伴ってフィルタ１２を透過する光源１１の光の照度が上昇して、照明光の照度が高くなる。
【００９７】
ユーザは色の変化以上に照度の変化を感じる傾向にあるので、この場合も、ユーザは違和感を感じてしまう。
【００９８】
これに対して、本実施の形態に係る照明装置１では、以下の制御動作（調光制御）を行う。図１０は、本発明の実施の形態に係る照明装置における第２の制御動作を説明するための図である。
【００９９】
まず、フィルタ１２を透過する光源１１の光の色温度が６０００Ｋのときに光源１１の光出力が１００％の状態となるように予め設定及び調光しておく。例えば、フィルタ１２がプルシアンブルー型錯体を用いたエレクトロクロミックフィルタの場合、フィルタ１２の透明色時（光透過率８０％）のときの光源１１の光出力を１００％とし、フィルタ１２が青色（光透過率６０％）のときの光源１１の光出力を、フィルタ１２の透明色時の光源１１の光出力に対して１００％の状態となるように予め設定及び調光しておく。
【０１００】
そして、図１０（ａ）に示すように、フィルタ１２を透過する光源１１の光の色温度を６０００Ｋ（高色温度）から５０００Ｋ（低色温度）に変化させる場合に、フィルタ１２を透過する光源１１の光の色温度の変化に連動して、フィルタ１２の光透過率が高くなったとする。
【０１０１】
例えば、フィルタ１２がプルシアンブルー型錯体を用いたエレクトロクロミックフィルタの場合、フィルタ１２を透過する光源１１の光の色温度を６０００Ｋから５０００Ｋに変化させると、フィルタ１２の着色状態が青色から透明色に変化し、図１０（ｂ）に示すように、フィルタ１２の光透過率は色温度の変化に連動して例えば６０％から８０％に高くなる。
【０１０２】
ここで、本実施の形態に係る照明装置１では、比較例の照明装置と異なり、図１０（ｂ）に示すように、フィルタ１２の光透過率の変化に連動させながら光源１１の光出力を変化させている。つまり、フィルタ１２の色の変化（光透過率の変化）と光源１１の光出力の変化とを同期させながら、かつ、フィルタ１２の光透過率の変化と光源１１の光出力の変化とが負の相関関係を有するように、光源１１の光出力の調光制御を行っている。
【０１０３】
本実施の形態では、図１０（ｂ）に示すように、フィルタ１２の光透過率が時刻ｔ１までは線形的（リニア）に単調増加し、時刻ｔ１以降は一定となっているので、制御部２０は、光源１１の光出力が時刻ｔ１まで線形的に単調減少して時刻ｔ１以降は一定となるような制御信号（調光信号）を第１電源回路２１に供給している。つまり、第２の制御動作の場合でも、制御部２０は、フィルタ１２の光透過率と光源１１の光出力とが負の相関関係を有するように制御しており、フィルタ１２の光透過率が大きくなる場合に、光源１１の光出力が小さくなるように制御している。本実施の形態では、時刻ｔ１までにおけるフィルタ１２の光透過率の変化の割合（傾き）が＋ａで一定であるので、光源１１の光出力の変化の割合が−ａで一定となるように制御している。
【０１０４】
より具体的には、フィルタ１２を透過する光源１１の光の色温度を６０００Ｋから５０００Ｋへと変化させる際に、光源１１の光出力がフィルタ１２の光透過率の変化と同期するように、光源１１の光出力を１００％から７５％になるように調光している。
【０１０５】
このような調光制御を行うことによって、図１０（ｃ）に示すように、フィルタ１２の光透過率が変化する前と後とでフィルタ１２を透過する光源１１の光の照度を略一定とすることができる。つまり、フィルタ１２を透過して得られる光源１１の光量を、フィルタ１２の光透過率が変化する前と後とで変化させることなく略一定に保つことができる。この結果、ユーザが利用する照明光の照度を略一定にすることができる。
【０１０６】
これにより、ユーザに対して色の変化だけを感じさせることができるので、照度変化に伴ってユーザが違和感を感じることを抑制できる。
【０１０７】
なお、図１０では、フィルタ１２を透過する光源１１の色温度が徐々に変化するように制御したが、上記の本実施の形態における照明装置の制御動作は、例えば、図１１に示すように、フィルタ１２を透過する光源１１の色温度が瞬時に変化する場合にも適用できる。
【０１０８】
例えば、図１１（ａ）に示すように、フィルタ１２を透過する光源１１の色温度が６０００Ｋから５０００Ｋに瞬時に下がっている場合、図１１（ｂ）に示すように、フィルタ１２の光透過率は６０％から８０％に瞬時に上昇する。この場合、図１１（ｂ）に示すように、フィルタ１２の光透過率の瞬時変化に合わせて光源１１の光出力を１００％から７５％に瞬時に小さくしている。これにより、図１１（ｃ）に示すように、フィルタ１２の光透過率が変化する前と後とでフィルタ１２を透過する光源１１の光の照度を略一定とすることができる。
【０１０９】
但し、第２の動作制御の場合でも、フィルタ１２の光透過率の変化（色の変化）及び光源１１の光出力を変化させる変化時間（変化速度）は、図１１のように瞬時ではなく、図１０のように、ある程度の時間をかける方がよく、例えば１０秒〜１０分が望ましく、さらに望ましくは１分〜３分である。
【０１１０】
なお、本実施の形態において、フィルタ１２の色の変化として、青色から透明色に色変化する例を説明したが、橙色から透明に色変化させてもよく、この場合でも同様の調光制御を行うことができる。上記調光制御を行わないという選択をすることも可能である。
【０１１１】
また、第２の制御動作（調光制御）と第１の制御動作（調光制御）とは連続して行ってもよい。例えば、第２の制御動作の後に第１の制御動作を行ってもよいし、第１の制御動作の後に第２の制御動作を行ってもよい。
【０１１２】
以上説明したように、本実施の形態に係る照明装置１及びその制御方法によれば、光透過率を変えることのできるフィルタを用いて照明光の光色を変化させる場合であっても、フィルタ１２の光透過率の変化と負の相関関係を有するようにフィルタ１２の光透過率の変化と同期させながら光源１１の光出力を変化させている。これにより、フィルタ１２を透過した光源１１の光の照度変化を抑制できるので、照度変化によるユーザの違和感を抑制できる。これにより、光色変化に伴う所望の心理生理的効果を得ることができる。
【０１１３】
特に、本実施の形態では、フィルタ１２の光透過率が変化する前後において、フィルタ１２を透過した光源１１の光の照度が略一定となるように光源１１の光出力を制御している。これにより、ユーザは違和感を感じることがない。
【０１１４】
なお、本実施の形態において、色温度を徐々に変化させる場合、色温度を線形的（リニア）、又は単調減少もしくは単調増加に変化にさせたが、これに限らない。例えば、ユーザに照度変化を感じさせなければ、色温度は複数のステップ状に変化させてもよい。
【０１１５】
（実施例１）
次に、本発明の実施例１に係る照明装置１００の構成について、図１２及び図１３を用いて説明する。図１２は、本発明の実施例１に係る照明装置の構成を示す斜視図である。図１３は、同照明装置における灯具の分解斜視図である。
【０１１６】
図１２に示すように、本実施例における照明装置（照明器具）１００は、デスクスタンド型の照明装置であって、光源部を含む灯具１１０と、机上に載置される平板状のベース１２０と、ベース１２０の上面側に設けられた筒状の本体部１３０と、本体部１３０の上端より斜め上前方に突出するアーム１４０とを備える。
【０１１７】
アーム１４０は、本体部１３０に対して可動するように構成されており、アーム１４０を動かすことで、アーム１４０の先端に設けられた灯具１１０の位置を変えることができる。
【０１１８】
また、本体部１３０の内部には、上記実施の形態と同様の制御を行う制御部２０が設けられている。具体的には、制御部２０として、制御回路とその制御を行うためのプログラムが組み込まれたマイコンを用いた。
【０１１９】
なお、照明装置１００は、その他に、点灯及び消灯の切り替えを行うためのスイッチ等が設けられている。
【０１２０】
灯具１１０は、机上面を照射するように構成されており、図１３に示すように、光源１１及びフィルタ１２からなる光源部１０と、光源１１が配置された基板１３と、配光制御部材１１１と、第１の枠１１２と、第２の枠１１３とを備える。
【０１２１】
光源部１０の構成は、上記実施の形態における光源部１０と同様である。本実施例では、光源１１として、Ｂ−Ｙタイプの白色ＬＥＤ光源を用いた。また、フィルタ１２として、（ニッケル、鉄）−鉄プルシアンブルー型錯体膜と亜鉛−鉄プルシアンブルー型錯体膜とで作製したエレクトロクロミックフィルタを用いた。このエレクトロクロミックフィルタは、電圧を印加することで青色から透明色に変化する。
【０１２２】
配光制御部材１１１は、入射する光の配光を制御する透光性の光学部材であり、入射した光を透過させるように透光性樹脂材料によって構成されている。配光制御部材１１１は、例えば、光源１１から出射する光の配光角を拡大するレンズ体である。配光制御部材１１１には、光源１１からの光を制御するために複数のレンズ１１１ａが設けられている。複数のレンズ１１１ａの各々は、光源１１の一つ一つに対応するように設けられている。
【０１２３】
なお、配光制御部材１１１は、光源１１からの光を所望の配光に制御するために用いられるものであれば、反射板や導光板等であってもよいし、あるいは、レンズ、反射板及び導光板の中から適宜複数選んで組み合わせたものであってもよい。また、配光制御部材１１１は、必ずしも設ける必要はないが、所望の配光とすることでユーザの集中力を高めたり集中力を持続させたりするために必要に応じて設けることが好ましい。
【０１２４】
第１の枠１１２及び第２の枠１１３は、光源部１０（光源１１、フィルタ１２）、基板１３及び配光制御部材１１１を挟むように配置されている。第１の枠１１２と第２の枠１１３とは嵌合するように構成されている。例えば、第１の枠１１２は、第２の枠１１３にネジ込むように嵌め込まれる。
【０１２５】
第１の枠１１２は、光照射側である前方側（机上面側）に位置するように配置される。第１の枠１１２は、例えば絶縁性樹脂材料によって構成されており、円環状の底部を有する円筒状に形成されている。つまり、第１の枠１１２には開口が設けられている。
【０１２６】
第２の枠１１３は後方側（天井側）に位置するように配置される。第２の枠１１３には、光源１１（基板１３）と制御部の第１電源回路とを接続する電線及びフィルタ１２と制御部の第２電源回路とを接続する電線を通すための貫通孔が設けられている。第２の枠１１３は、例えば絶縁性樹脂材料によって構成されており、貫通孔が設けられた平板状の底部を有する円筒状に形成されている。
【０１２７】
本実施例における照明装置１００は、制御部２０によって、上記実施の形態における照明装置１と同様の調光制御が行われる。
【０１２８】
このように、上記実施の形態における照明装置１は、デスクスタンドライト等のタスク照明装置として実現することができる。
【０１２９】
（実施例２）
次に、本発明の実施例２に係る照明装置２００の構成について、図１４を用いて説明する。図１４は、本発明の実施例２に係る照明装置の構成を示す分解斜視図である。
【０１３０】
図１４に示すように、本実施例における照明装置２００は、シーリングライトであって、光源１１及びフィルタ１２からなる光源部１０と、基板１３と、本体２１０と、配光制御部材２２０と、カバー２３０と、制御部（不図示）とを備える。以下、照明装置の各構成部材について詳細に説明する。
【０１３１】
複数の光源１１と基板１３とで光源ユニットが構成される。図１４では、４つの光源ユニットが本体２１０に配置されており、各光源ユニットの基板１３には、内側と外側の２列の素子列で光源１１が配列されている。
【０１３２】
制御部は、例えば本体２１０に設けられたマイコンであり、上記実施の形態と同様の制御を行う。
【０１３３】
本体２１０の中央部には、当該本体２１０を天井面に設置されている引掛シーリングに取り付けるための取付部２１１が設けられている。取付部２１１は、天井面に設置されている引掛シーリングに取り付けられることにより、引掛シーリングに機械的及び電気的に接続される。
【０１３４】
本体２１０は、例えば、厚みの薄いダイカスト部材等を用いて円板形に形成されており、床面側が反射面として機能するととともに光源ユニットの取付面として機能する。なお、本体２１０の上部には、制御部が収容されている。
【０１３５】
配光制御部材２２０は、入射する光の配光を制御する透光性の光学部材であり、入射した光を透過させるように透光性樹脂材料によって構成されている。配光制御部材２２０は、例えば、光源１１から出射する光の配光角を拡大するレンズ体である。本実施の形態における配光制御部材２２０は、光源１１の２本の素子列に対応するように設けられた２本のリング状のレンズである。
【０１３６】
なお、配光制御部材２２０は、実施例１と同様に、反射板や導光板等であってもよい。また、配光制御部材２２０は、必ずしも設ける必要はないが、所望の配光とすることでユーザの集中力を高めたり集中力を持続させたりするために設けることが好ましい。
【０１３７】
カバー２３０は、光源部１０、基板１３及び配光制御部材２２０を覆うように本体210に取り付けられる。本実施の形態におけるカバー２３０は、照明装置全体を均一に発光させるために、カバー２３０の材料の一部又は全部に光拡散粒子が分散された拡散カバーである。カバー２３０は、例えば、乳白色の樹脂製のカバーとすることができる。
【０１３８】
本実施例における照明装置２００は、制御部によって、上記実施の形態における照明装置１と同様の調光制御が行われる。
【０１３９】
このように、上記実施の形態における照明装置１は、シーリングライト等のアンビエント照明装置として実現することができる。
【０１４０】
（その他変形例等）
以上、本発明に係る照明装置及び照明装置の制御方法について、実施の形態及び実施例に基づいて説明したが、本発明は、上記実施の形態及び実施例に限定されるものではない。
【０１４１】
例えば、上記実施の形態及び実施例では、照明装置の一例として、デスクスタンドライトやシーリングライトについて説明したが、これに限定されるものではなく、本発明の目的を損なわない範囲で、スポットライトやダウンライト等の他のタスク照明やアンビエント照明にも適用できる。
【０１４２】
なお、その他、各実施の形態及び変形例に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【０１４３】
１、１００、２００  照明装置
１０  光源部
１１  光源
１２  フィルタ
１２ａ、１２ｆ  ＩＴＯ電極
１２ｂ  第１のエレクトロクロミック層
１２ｄ  ゲル電解質
１２ｃ  封止用樹脂
１２ｅ  第２のエレクトロクロミック層
１３  基板
２０  制御部
２１  第１電源回路
２２  第２電源回路
２３  制御回路
１１０  灯具
１１１、２２０  配光制御部材
１１１ａ  レンズ
１１２  第１の枠
１１３  第２の枠
１２０  ベース
１３０  本体部
１４０  アーム
２１０  本体
２１１  取付部
２３０  カバー
【図１】
2015018682.tif 000003
【図２】
2015018682.tif 000004
【図３】
2015018682.tif 000005
【図４】
2015018682.tif 000006
【図５】
2015018682.tif 000007
【図６】
2015018682.tif 000008
【図７】
2015018682.tif 000009
【図８】
2015018682.tif 000010
【図９】
2015018682.tif 000011
【図１０】
2015018682.tif 000012
【図１１】
2015018682.tif 000013
【図１２】
2015018682.tif 000014
【図１３】
2015018682.tif 000015
【図１４】
2015018682.tif 000016